【手続補正書】
【提出日】平成18年6月8日(2006.6.8)
【手続補正１】
【補正対象書類名】明細書
【補正対象項目名】特許請求の範囲
【補正方法】変更
【補正の内容】
【特許請求の範囲】
【請求項１】
信号線と、走査線と、固定電位を有する電源線と、
発光素子を有する副画素と、
前記発光素子にソース又はドレインの一方が電気的に接続された第１のトランジスタと、
前記信号線にソース又はドレインの一方が電気的に接続された第２のトランジスタと、
前記発光素子に電気的に接続された、異なる面積を有する電極と、を有する表示装置であって、
前記第１のトランジスタのゲートは前記電源線と電気的に接続され、
前記第２のトランジスタのゲートは前記走査線に電気的に接続され、
前記第１のトランジスタのソース又はドレインの他方と、前記第２のトランジスタのソース又はドレインの他方とは電気的に接続されていることを特徴とする表示装置。
【請求項２】
信号線と、走査線と、固定電位を有する第１の電源線と、第２の電源線と、
発光素子を有する副画素と、
前記発光素子にソース又はドレインの一方が電気的に接続された第１のトランジスタと、
前記信号線にソース又はドレインの一方が電気的に接続された第２のトランジスタと、
前記第２のトランジスタのソース又はドレインの他方と、ゲートが電気的に接続された第３のトランジスタと、
前記発光素子に電気的に接続された、異なる面積を有する電極と、を有する表示装置であって、
前記第１のトランジスタのゲートは前記第１の電源線に電気的に接続され、
前記第２のトランジスタのゲートは前記走査線に電気的に接続され、
前記第１のトランジスタのソース又はドレインの他方と、前記第３のトランジスタのソース又はドレインの一方とは電気的に接続され、
前記第３のトランジスタのソース又はドレインの他方は、前記第２の電源線と電気的に接続されていることを特徴とする表示装置。
【請求項３】
信号線と、走査線と、固定電位を有する第１の電源線と、第２の電源線と、
発光素子を有する副画素と、
前記発光素子にソース又はドレインの一方が電気的に接続された第１のトランジスタと、
前記信号線にソース又はドレインの一方が電気的に接続された第２のトランジスタと、
前記第２のトランジスタのソース又はドレインの他方と、ゲートが電気的に接続された第３のトランジスタと、
前記第３のトランジスタのゲートに、ソース又はドレインの一方が、前記第２の電源線に、ソース又はドレインの他方が電気的に接続された第４のトランジスタと、
前記発光素子に電気的に接続された、異なる面積を有する電極と、を有する表示装置であって、
前記第１のトランジスタのゲートは前記第１の電源線と電気的に接続され、
前記第２のトランジスタのゲートは前記走査線に電気的に接続され、
前記第１のトランジスタのソース又はドレインの他方と、前記第３のトランジスタのソース又はドレインの一方とは電気的に接続され、
前記第３のトランジスタのソース又はドレインの他方は、前記第２の電源線と電気的に接続されていることを特徴とする表示装置。
【請求項４】
請求項１乃至請求項３のいずれか一において、前記第１のトランジスタは前記発光素子に流れる電流値を決定する駆動用トランジスタであることを特徴とする表示装置。
【請求項５】
請求項１乃至請求項４のいずれか一において、前記第２のトランジスタは前記信号線から入力されるビデオ信号によって、前記発光素子の発光、非発光を決定するスイッチング用トランジスタであることを特徴とする表示装置。
【請求項６】
請求項２乃至請求項５のいずれか一において、前記第３のトランジスタは電流制御用トランジスタであることを特徴とする表示装置。
【請求項７】
請求項３乃至請求項６のいずれか一において、前記第４のトランジスタは前記入力されたビデオ信号の電位を放電する消去用トランジスタであることを特徴とする表示装置。
【請求項８】
請求項２乃至請求項７のいずれか一において、前記第３のトランジスタのゲート及びソース又はドレインの他方との間に設けられた容量素子を有することを特徴とする表示装置。
【請求項９】
信号線と、走査線と、固定電位を有する電源線と、
発光素子を有する副画素と、
前記発光素子にソース又はドレインの一方が電気的に接続され、前記電源線にゲートが接続された第１のトランジスタと、
前記信号線にソース又はドレインの一方が電気的に接続され、前記走査線にゲートが接続された第２のトランジスタと、を有する表示装置の駆動方法であって、
前記走査線が選択され、前記走査線に電気的に接続された第２のトランジスタがオンとなり、前記信号線からビデオ信号が前記第２のトランジスタへ入力され、
前記ビデオ信号に基づき前記第１のトランジスタがオンとなり、前記第１のトランジスタがオンとなるとき前記発光素子が発光し、
前記発光する発光素子の面積により階調表示を行なうことを特徴とする表示装置の駆動方法。
【請求項１０】
信号線と、走査線と、固定電位を有する第１の電源線と、第２の電源線と、
発光素子を有する副画素と、
前記発光素子にソース又はドレインの一方が電気的に接続され、前記第１の電源線にゲートが接続された第１のトランジスタと、
前記信号線にソース又はドレインの一方が電気的に接続され、前記走査線にゲートが接続された第２のトランジスタと、
前記第２のトランジスタのソース又はドレインの他方と、ゲートが電気的に接続された第３のトランジスタと、を有する表示装置の駆動方法であって、
前記走査線が選択され、前記走査線に電気的に接続された第２のトランジスタがオンとなり、前記信号線からビデオ信号が前記第２のトランジスタへ入力され、
前記ビデオ信号に基づき前記第１のトランジスタがオン、又はオフとなり、前記第１のトランジスタがオンとなるとき前記発光素子が発光し、
前記発光する発光素子の面積により階調表示を行なうことを特徴とする表示装置の駆動方法。
【請求項１１】
信号線と、走査線と、固定電位を有する第１の電源線と、第２の電源線と、
発光素子を有する副画素と、
前記発光素子にソース又はドレインの一方が電気的に接続され、ゲートが前記第１の電源線に接続された第１のトランジスタと、
前記信号線にソース又はドレインの一方が電気的に接続され、前記走査線にゲートが接続された第２のトランジスタと、
前記第２のトランジスタのソース又はドレインの他方と、ゲートが電気的に接続された第３のトランジスタと、
前記第３のトランジスタのゲートに、ソース又はドレインの一方が、前記第２の電源線に、ソース又はドレインの他方が電気的に接続された第４のトランジスタと、を有する表示装置の駆動方法であって、
前記走査線が選択され、前記走査線に電気的に接続された第２のトランジスタがオンとなり、前記信号線からビデオ信号が前記第２のトランジスタへ入力され、
前記ビデオ信号に基づき前記第１のトランジスタがオン、又はオフとなり、前記第１のトランジスタがオンとなるとき前記発光素子が発光し、
前記発光する発光素子の面積により階調表示を行なうことを特徴とする表示装置の駆動方法。
【請求項１２】
請求項１０又は請求項１１において、
前記第３のトランジスタは前記第２のトランジスタと同時にオン、又はオフとなることを特徴とする表示装置の駆動方法。
【請求項１３】
請求項９乃至請求項１２のいずれか一において、前記第１のトランジスタは、飽和領域又は線形領域で動作することを特徴とする表示装置の駆動方法。
【請求項１４】
請求項９乃至請求項１３のいずれか一において、前記第２のトランジスタは、線形領域で動作することを特徴とする表示装置の駆動方法。
【請求項１５】
請求項１０乃至請求項１４のいずれか一において、前記第３のトランジスタは、線形領域で動作することを特徴とする表示装置の駆動方法。
【請求項１６】
請求項１１乃至請求項１５のいずれか一において、前記第４のトランジスタは、線形領域で動作することを特徴とする表示装置の駆動方法。